(57)【要約】【課題】  載置状態検出手段が異常になっても、そのように異常となった載置状態検出手段の検出情報に基づくバーナの作動の制御が継続されるのを回避し得るコンロを提供する。【解決手段】  載置部に被加熱物が載置されている被加熱物載置状態と載置部に被加熱物が載置されていない被加熱物非載置状態とを検出する載置状態検出手段Ｄと、載置部に載置された被加熱物の底部に当接自在な温度検知部１１を備えた温度検出手段Ｔとが設けられたコンロであって、バーナ１ａ，１ｃの燃焼中における温度検出手段Ｔの検出温度の変化状況に基づいて、載置部に被加熱物が載置されている載置予測状態と載置部に被加熱物が載置されていない非載置予測状態とを推定する推定手段Ｅと、載置状態検出手段Ｄが被加熱物載置状態を検出し且つ推定手段Ｅが非載置予測状態を推定する検出異常状態が発生するに伴って異常対策処理を実行する制御手段Ｈとが設けられている。【選択図】        図２
2006125674.tif 000002
【特許請求の範囲】
【請求項１】
バーナにて加熱する被加熱物を載置する載置部に被加熱物が載置されている被加熱物載置状態と前記載置部に被加熱物が載置されていない被加熱物非載置状態とを検出する載置状態検出手段と、
前記載置部に載置された被加熱物の底部に当接自在な温度検知部を備えた温度検出手段とが設けられたコンロであって、
前記バーナの燃焼中における前記温度検出手段の検出温度の変化状況に基づいて、前記載置部に被加熱物が載置されている載置予測状態と前記載置部に被加熱物が載置されていない非載置予測状態とを推定する推定手段と、
前記載置状態検出手段が前記被加熱物載置状態を検出し、且つ、前記推定手段が前記非載置予測状態を推定する検出異常状態が発生するに伴って異常対策処理を実行する制御手段とが設けられているコンロ。
【請求項２】
前記制御手段は、前記検出異常状態が異常判別用設定時間継続するときに、前記異常対策処理を実行するように構成されている請求項１記載のコンロ。
【請求項３】
前記制御手段が、前記異常対策処理として、前記バーナの燃焼を停止させる又は火力を低下させることを実行するように構成されている請求項１又は２記載のコンロ。
【請求項４】
前記制御手段が、前記載置状態検出手段が前記被加熱物非載置状態を検出すると、前記バーナの火力を低下させる燃焼抑制処理を実行し、且つ、前記載置状態検出手段が前記被加熱物載置状態を検出し且つ前記推定手段が前記載置予測状態を推定するときには、前記燃焼抑制処理を解除する燃焼抑制解除処理を実行するように構成されている請求項１〜３のいずれか１項に記載のコンロ。
【請求項５】
前記制御手段が、前記燃焼抑制処理として、前記バーナの火力を低下させることを実行し、且つ、前記燃焼抑制解除処理として、前記バーナの火力を低下前の火力に戻すことを実行するように構成されている請求項４記載のコンロ。
【請求項６】
前記載置状態検出手段が、
前記載置部に載置される被加熱物の底部が当接するのに伴って押し下げられて前記被加熱物載置状態を検出するための載置状態検出位置と、その載置状態検出位置よりも上方であって前記被加熱物非載置状態を検出するための非載置状態検出位置とにわたって上下動自在で、且つ、前記非載置状態検出位置に復帰付勢される上下可動部と、
その上下可動部が前記載置状態検出位置に位置する状態を検出することにより前記被加熱物載置状態を検出し、且つ、前記上下可動部が前記非載置状態検出位置に位置する状態を検出することにより前記被加熱物非載置状態を検出する検出部とを備えて構成され、
前記温度検出手段の前記温度検知部が、前記上下可動部の上端部に設けられている請求項１〜５のいずれか１項に記載のコンロ。
【請求項７】
前記推定手段は、前記温度検出手段の検出温度の変化状況が、非載置予測用温度上昇条件を満たす状態で前記検出温度が上昇する変化状況のときは、前記非載置予測状態を推定し、且つ、前記温度検出手段の検出温度の変化状況が、前記非載置予測用温度上昇条件よりも緩やかな載置予測用温度上昇条件を満たす状態で前記検出温度が上昇する変化状況のとき、又は、前記検出温度が下降する状態から載置予測用設定時間に載置予測用設定温度以上上昇する状態に転じた変化状況のときは、前記載置予測状態を推定するように構成されている請求項１〜６のいずれか１項に記載のコンロ。
【発明の詳細な説明】
【技術分野】
【０００１】
本発明は、バーナにて加熱する被加熱物を載置する載置部に被加熱物が載置されている被加熱物載置状態と前記載置部に被加熱物が載置されていない被加熱物非載置状態とを検出する載置状態検出手段と、
前記載置部に載置された被加熱物の底部に当接自在な温度検知部を備えた温度検出手段とが設けられたコンロに関する。
【背景技術】
【０００２】
かかるコンロは、載置状態検出手段にて、載置部に被加熱物が載置されている被加熱物載置状態と載置部に被加熱物が載置されていない被加熱物非載置状態とを検出し、温度検出手段にて、載置部に載置されている被加熱物の底部の温度を検出するようにしたものであり、それら載置状態検出手段の検出情報及び温度検出手段の検出情報は、バーナの作動の制御に用いられる。
【０００３】
例えば、バーナの燃焼中に、被加熱物が載置部から持ち上げられて、載置状態検出手段により被加熱物非載置状態が検出されると、バーナの火力を低下させるように構成して、載置部に被加熱物が載置されていない状態ではバーナを大きな燃焼量で燃焼させないようにして、載置部に被加熱物が載置されていない状態でのバーナの燃焼炎により、使用者に不快感を感じさせることを極力抑制して快適に使用可能なようにしていた。
又、温度検出手段の検出温度が過熱防止用の設定温度に達すると、バーナの燃焼を停止させるようにして、被加熱物の過熱を防止することが可能なようにしていた（例えば、特許文献１参照。）。
【０００４】
ちなみに、前記特許文献１では、前記載置状態検出手段は、前記載置部に載置される被加熱物の底部が当接するのに伴って押し下げられて前記被加熱物載置状態を検出するための載置状態検出位置と、その載置状態検出位置よりも上方であって前記被加熱物非載置状態を検出するための非載置状態検出位置とにわたって上下動自在で、且つ、前記非載置状態検出位置に復帰付勢される上下可動部と、その上下可動部が前記載置状態検出位置に位置する状態を検出することにより前記被加熱物載置状態を検出し、且つ、前記上下可動部が前記非載置状態検出位置に位置する状態を検出することにより前記被加熱物非載置状態を検出する検出部とを備えて構成されていた。
又、前記温度検知部が前記上下可動部の上端部に設けられることにより、その温度検知部が載置部に載置された被加熱物の底部に当接されるように構成されて、前記温度検出手段が、前記上下可動部と前記温度検知部とにより構成されていた。
【０００５】
又、前記特許文献１には記載されていないが、前記載置状態検出手段としては、載置部上の被加熱物の有無によって投射光が反射されるか否かにより被加熱物載置状態か被加熱物非載置状態かを検出するように構成された反射型の光センサ、あるいは、載置部上の被加熱物の有無により投射光が遮蔽されるか否かにより被加熱物載置状態か被加熱物非載置状態かを検出するように構成されたフォトインタラプタ型の光センサにて構成される場合もある。
【０００６】
【特許文献１】特開平８−８６４４５号公報
【発明の開示】
【発明が解決しようとする課題】
【０００７】
ところで、前記載置状態検出手段が異常となる虞がある。例えば、載置状態検出手段が上述のように上下可動部と検出部とにより構成される場合、被加熱物としての鍋等からあふれた煮汁により上下可動部が前記載置状態検出位置に位置したままで固着してしまったり、検出部が故障して、載置部に被加熱物が載置されていないにも拘わらず載置状態検出手段により被加熱物載置状態と検出される異常が発生する場合がある。
あるいは、前記載置状態検出手段が前記反射型の光センサやフォトインタラプタ型の光センサにて構成される場合にも、被加熱物載置状態連続検出異常が発生する場合がある。例えば、フォトインタラプタ型の光センサの場合は、発光部又は受光部が鍋等からあふれた煮汁により曇ると、前述のような異常が発生する場合がある。
【０００８】
しかしながら、従来のコンロでは、前記載置状態検出手段が前述の如き異常となると、そのように異常となった載置状態検出手段の検出情報に基づいて、バーナの作動が制御されることになり、改善が望まれていた。
例えば、バーナの燃焼中に載置部から被加熱物が移動されても、バーナの火力を低下させる処理が実行されなくなり、載置部に被加熱物が載置されていない状態でのバーナの燃焼炎により使用者に不安感や驚きを感じさせることを抑制し難くなる。
【０００９】
本発明は、かかる実情に鑑みてなされたものであり、その目的は、載置状態検出手段が異常になっても、そのように異常となった載置状態検出手段の検出情報に基づくバーナの作動の制御が継続されるのを回避し得るコンロを提供することにある。
【課題を解決するための手段】
【００１０】
本発明のコンロは、バーナにて加熱する被加熱物を載置する載置部に被加熱物が載置されている被加熱物載置状態と前記載置部に被加熱物が載置されていない被加熱物非載置状態とを検出する載置状態検出手段と、
前記載置部に載置された被加熱物の底部に当接自在な温度検知部を備えた温度検出手段とが設けられたものであって、
第１特徴構成は、前記バーナの燃焼中における前記温度検出手段の検出温度の変化状況に基づいて、前記載置部に被加熱物が載置されている載置予測状態と前記載置部に被加熱物が載置されていない非載置予測状態とを推定する推定手段と、
前記載置状態検出手段が前記被加熱物載置状態を検出し、且つ、前記推定手段が前記非載置予測状態を推定する検出異常状態が発生するに伴って異常対策処理を実行する制御手段とが設けられている点を特徴とする。
【００１１】
即ち、推定手段により、バーナの燃焼中における温度検出手段の検出温度の変化状況に基づいて、載置部に被加熱物が載置されている載置予測状態と載置部に被加熱物が載置されていない非載置予測状態とが推定される。
そして、載置状態検出手段により被加熱物載置状態が検出され且つ推定手段により非載置予測状態が推定される検出異常状態が発生するに伴って、制御手段により、異常対策処理が実行される。
【００１２】
つまり、被加熱物を載置部に載せると温度検知部が被加熱物の底部に当接し、被加熱物を載置部から移動させると温度検知部が被加熱物の底部から離間する。
従って、被加熱物が載置部に載っているときよりも被加熱物が載置部に載っていないときの方が、温度検知部がバーナの火炎により直接的に加熱され易い等に起因して、被加熱物を載置部に載せたり載置部から移動させたりすると温度検出手段の検出温度が変動するので、その温度検出手段の検出温度の変化状況に基づいて、載置予測状態と非載置予測状態とを推定することが可能となる。
そして、載置状態検出手段により被加熱物載置状態が検出され且つ推定手段により非載置予測状態が推定される状態では、被加熱物が載置部から移動されたにも拘らず、載置状態検出手段により被加熱物載置状態が検出される状態（以下、載置状態連続検出異常と記載する場合がある）が発生している可能性がある。
そこで、載置状態検出手段により被加熱物載置状態が検出され且つ推定手段により非載置予測状態が推定される検出異常状態で発生するに伴って、制御手段により、異常対策処理を実行させるようにすると、載置状態連続検出異常となった載置状態検出手段の検出情報に基づいてバーナの作動の制御が継続されるのを回避することが可能となる。
【００１３】
ちなみに、前記異常対策処理として、例えば、載置状態検出手段が異常であることを示す情報を報知する異常報知処理を実行するように構成すると、使用者に載置状態検出手段が異常であることを認識させることが可能となるので、載置状態検出手段が異常となったままでコンロの使用が継続されるのを回避することが可能となる。
従って、載置状態検出手段が異常になっても、そのように異常となった載置状態検出手段の検出情報に基づくバーナの作動の制御が継続されるのを回避し得るコンロを提供することができるようになった。
【００１４】
第２特徴構成は、上記第１特徴構成に加えて、
前記制御手段は、前記検出異常状態が異常判別用設定時間継続するときに、前記異常対策処理を実行するように構成されている点を特徴とする。
【００１５】
即ち、検出異常状態が異常判別用設定時間継続するときに、制御手段により前記異常対策処理が実行される。
つまり、被加熱物が載置部から移動されると、載置状態検出手段により直ぐに被加熱物非載置状態が検出されるのではなく、被加熱物非載置状態が検出されるまでに時間遅れが生じる虞があるので、前記検出異常状態が前記異常判別用設定時間継続するときに、異常対策処理が実行されるように構成することにより、載置状態検出手段が前記載置状態連続検出異常状態になっているのではなく、載置状態検出手段により被加熱物非載置状態が検出されるまでに時間遅れが生じているだけであるにも拘らず、異常対策処理が実行されるのを回避することが可能となる。
従って、載置状態検出手段が異常状態になっていないにも拘らず異常対策処理が実行されるのを回避して、異常対策処理を的確に実行されるようにすることができるようになった。
【００１６】
第３特徴構成は、上記第１又は第２特徴構成に加えて、
前記制御手段が、前記異常対策処理として、前記バーナの燃焼を停止させる又は火力を低下させることを実行するように構成されている点を特徴とする。
【００１７】
即ち、制御手段により、前記異常対策処理として、バーナの燃焼を停止させる又は火力を低下させる処理が実行される。
つまり、載置状態連続検出異常が発生すると、バーナの燃焼が停止される又は火力が低下されるので、載置部に被加熱物が載置されていない状態でのバーナの燃焼炎により、使用者に不快感を感じさせることを抑制することが可能となった。
従って、載置状態検出手段が異常状態になると、使用者に不快感を感じさせることを抑制しながら、異常となった載置状態検出手段の検出情報に基づくバーナの作動の制御が継続されるのを回避することができるようになった。
【００１８】
第４特徴構成は、上記第１〜第３特徴構成のいずれかに加えて、
前記制御手段が、前記載置状態検出手段が前記被加熱物非載置状態を検出すると、前記バーナの火力を低下させる燃焼抑制処理を実行し、且つ、前記載置状態検出手段が前記被加熱物載置状態を検出し且つ前記推定手段が前記載置予測状態を推定するときには、前記燃焼抑制処理を解除する燃焼抑制解除処理を実行するように構成されている点を特徴とする。
【００１９】
即ち、載置状態検出手段により被加熱物非載置状態を検出されると、制御手段により、バーナの火力を低下させる燃焼抑制処理が実行され、載置状態検出手段により被加熱物載置状態が検出され且つ推定手段により載置予測状態が推定されると、燃焼抑制処理を解除する燃焼抑制解除処理が実行される。
【００２０】
つまり、バーナの燃焼中に載置部から被加熱物が移動されると、載置状態検出手段により被加熱物非載置状態が検出されるので、制御手段により、バーナの火力を低下させる燃焼抑制処理が実行され、その燃焼抑制処理の実行中に、載置部に被加熱物が載せられると、載置状態検出手段により被加熱物載置状態が検出され且つ推定手段により載置予測状態が推定されるので、制御手段により、燃焼抑制処理を解除する燃焼抑制解除処理が実行される。尚、前記燃焼抑制解除処理としては、例えば、バーナの燃焼量を大きくする処理を実行するようにすることが可能である。
【００２１】
従って、バーナの燃焼中に載置部から被加熱物が移動されると、バーナの火力が低下され、又、バーナの燃焼中に載置部から被加熱物が移動されたことによりバーナの火力が低下されている状態で、載置部に被加熱物が載せられると、バーナの燃焼量が大きくなるので、載置部に被加熱物が載置されていない状態でのバーナの燃焼炎により、使用者に不快感を感じさせることを極力抑制して快適に使用可能なようにしながら、使い勝手を向上することができるようになった。
【００２２】
第５特徴構成は、上記第４特徴構成に加えて、
前記制御手段が、前記燃焼抑制処理として、前記バーナの火力を低下させることを実行し、且つ、前記燃焼抑制解除処理として、前記バーナの火力を低下前の火力に戻すことを実行するように構成されている点を特徴とする。
【００２３】
即ち、制御手段により、燃焼抑制処理として、バーナの火力を低下させる処理が実行され、燃焼抑制解除処理として、バーナの火力を低下前の火力に戻す処理が実行される。
【００２４】
従って、バーナの燃焼中に載置部から被加熱物が移動されると、バーナの火力が低下され、そのように載置部から被加熱物が移動されたことによりバーナの火力が低下されている状態で、載置部に被加熱物が載せられると、バーナの火力がその低下前の火力に戻されて、被加熱物を載置部から移動させる前と同じ火力で被加熱物を加熱することができるので、載置部に被加熱物が載置されていない状態でのバーナの燃焼炎により、使用者に不快感を感じさせることを極力抑制して快適に使用可能なようにしながら、使い勝手を一層向上することができるようになった。
【００２５】
第６特徴構成は、上記第１〜第５特徴構成のいずれかに加えて、
前記載置状態検出手段が、
前記載置部に載置される被加熱物の底部が当接するのに伴って押し下げられて前記被加熱物載置状態を検出するための載置状態検出位置と、その載置状態検出位置よりも上方であって前記被加熱物非載置状態を検出するための非載置状態検出位置とにわたって上下動自在で、且つ、前記非載置状態検出位置に復帰付勢される上下可動部と、
その上下可動部が前記載置状態検出位置に位置する状態を検出することにより前記被加熱物載置状態を検出し、且つ、前記上下可動部が前記非載置状態検出位置に位置する状態を検出することにより前記被加熱物非載置状態を検出する検出部とを備えて構成され、
前記温度検出手段の前記温度検知部が、前記上下可動部の上端部に設けられている点を特徴とする。
【００２６】
即ち、載置部に被加熱物を載置すると、その被加熱物の底部が上下可動部に当接して、上下可動部が非載置状態検出位置から載置状態検出位置に押し下げられ、それに伴って、検出部により、上下可動部が載置状態検出位置に位置する状態が検出されることにより、前記被加熱物載置状態が検出され、又、温度検知部が被加熱物の底部に当接してその検出温度が変化するので、その変化状況に基づいて、推定手段により載置予測状態が推定される。
一方、被加熱物を載置部から上げると、上下可動部がその上方への復帰付勢力により載置状態検出位置から非載置状態検出位置に復帰し、それに伴って、検出部により、上下可動部が非載置状態検出位置に位置する状態が検出されることにより、前記被加熱物非載置状態が検出され、又、温度検知部が被加熱物の底部から離間してその検出温度が変化するので、その変化状況に基づいて、推定手段により非載置予測状態が推定される。
【００２７】
つまり、被加熱物が載置部に載せられたり載置部から上げられたりすることにより上下可動部を載置状態検出位置と非載置状態検出位置とにわたって上下動させて、検出部により、上下可動部が載置状態検出位置に位置する状態と非載置状態検出位置に位置する状態とを検出させることにより、被加熱物載置状態と被加熱物非載置状態とを検出させることになる。
そして、被加熱物が載置部に載せられたり載置部から移動されたりすることにより、上下可動部を載置状態検出位置と非載置状態検出位置とにわたって上下動させて、検出部により、上下可動部が載置状態検出位置に位置する状態と非載置状態検出位置に位置する状態とを検出させることにより、被加熱物載置状態と被加熱物非載置状態とを検出させるようにすることにより、例えば、上述のように光センサを用いて、非接触状態にて被加熱物載置状態と被加熱物非載置状態とを検出するように構成する場合に比べて、誤検出を抑制することが可能となって、被加熱物載置状態と被加熱物非載置状態とを適切に検出することが可能となる。
【００２８】
ところで、このように、載置状態検出手段を前記上下可動部と前記検出部とを備えて構成すると、例えば、被加熱物としての鍋等からあふれた煮汁により上下可動部が前記載置状態検出位置に位置したままで固着してしまって、載置状態連続検出異常が生じる場合がある。
そして、そのように上下可動部が前記載置状態検出位置に位置したままで固着してしまうと、被加熱物が載置部から上げられても、検出部により被加熱物載置状態が検出される状態が継続することとなるが、温度検知部が被加熱物の底部に当接する状態から離間する状態になって検出温度が変化して、推定手段により非載置予測状態が推定されて、異常対策処理が実行されるので、異常となった載置状態検出手段の検出情報に基づくバーナの作動の制御が継続されるのを回避することが可能となる。
又、温度検知部を上下可動部に設けて、載置状態検出手段と温度検出手段とで上下可動部を共用することにより、構成の簡略化を図って低廉化を図ることができる。
従って、低廉化を図り、又、被加熱物載置状態と被加熱物非載置状態とを適切に検出することができながら、異常となった載置状態検出手段の検出情報に基づくバーナの作動の制御が継続されるのを回避することができるようになった。
【００２９】
第７特徴構成は、上記第１〜第６特徴構成のいずれかに加えて、
前記推定手段は、前記温度検出手段の検出温度の変化状況が、非載置予測用温度上昇条件を満たす状態で前記検出温度が上昇する変化状況のときは、前記非載置予測状態を推定し、且つ、前記温度検出手段の検出温度の変化状況が、前記非載置予測用温度上昇条件よりも緩やかな載置予測用温度上昇条件を満たす状態で前記検出温度が上昇する変化状況のとき、又は、前記検出温度が下降する状態から載置予測用設定時間に載置予測用設定温度以上上昇する状態に転じた変化状況のときは、前記載置予測状態を推定するように構成されている点を特徴とする。
【００３０】
即ち、温度検出手段の検出温度の変化状況が、非載置予測用温度上昇条件を満たす状態で前記検出温度が上昇する変化状況のときは、推定手段により、非載置予測状態が推定され、温度検出手段の検出温度の変化状況が、前記非載置予測用温度上昇条件よりも緩やかな載置予測用温度上昇条件を満たす状態で前記検出温度が上昇する変化状況のとき、又は、前記検出温度が下降する状態から載置予測用設定時間に載置予測用設定温度以上上昇する状態に転じた変化状況のときは、推定手段により載置予測状態が推定される。
【００３１】
つまり、被加熱物が載置部から移動されると、温度検知部が被加熱物の底部に当接している状態から被加熱物の底部から離間する状態に変化するので、例えば、バーナの火炎が温度検知部に近付く、又は、バーナにて加熱する熱容量が小さくなる等により、温度検知部がバーナの火炎により直接的に加熱され易くなり、温度検知部の検出温度の変化状況は、比較的急な上昇の変化状況となる。
一方、被加熱物が載置部に載せられると、温度検知部が被加熱物の底部に当接するので、温度検知部の検出温度の変化状況は、例えば、温度検知部から被加熱物の底部に熱が伝導することにより、検出温度が下降する状態から上昇する状態に転じる変化状況となり、あるいは、被加熱部が載置部から移動されていたときよりも熱容量が大きくなることにより、被加熱物が載置部から移動されたときの上昇よりも緩やかな上昇の変化状況となる。
【００３２】
そこで、実験により、被加熱物を載置部から移動させたときの検出温度の変化状況に基づいて、前記非載置予測用温度上昇条件を設定し、被加熱物を載置部に載せたときの検出温度の変化状況に基づいて、前記載置予測用温度上昇条件、前記載置予測用設定時間及び前記載置予測用設定温度を設定する。
そして、そのように設定した非載置予測用温度上昇条件を用いて、非載置予測状態を推定し、又、そのように設定した載置予測用温度上昇条件、又は、載置予測用設定時間及び載置予測用設定温度を用いて、載置予測状態を推定するようにすることにより、非載置予測状態及び載置予測状態を的確に推定することが可能となる。
従って、非載置予測状態及び載置予測状態を的確に推定するために好適な手段を提供することができるようになった。
【発明を実施するための最良の形態】
【００３３】
以下、図面に基づいて、本発明の実施の形態を説明する。
図１及び図２に示すように、ガスコンロは、３つのコンロバーナ１ａ，１ｂ，１ｃ、及び、グリルバーナ２を備えるグリル部３を備えたビルトインタイプのガスコンロにて構成されており、３つのコンロバーナ１ａ，１ｂ，１ｃは標準バーナ１ａと、小バーナ１ｂと、高火力バーナ１ｃとによって構成されている。
【００３４】
又、図１に示すように、グリル部３の燃焼排ガスを排気するためのグリル排気口４が形成され、ガラス製のトッププレート５にてガスコンロ上面が覆われており、このトッププレート５の上部に、標準バーナ１ａ、小バーナ１ｂ及び高火力バーナ１ｃの夫々に対応して、夫々にて加熱する被加熱物（鍋など）を載置する載置部としての五徳６が載置支持されている。
又、トッププレート５の裏面側に、標準バーナ１ａ、小バーナ１ｂ及び高火力バーナ１ｃ夫々の火力、並びに、グリルバーナ２の点消火状態を表示する天面表示部７０が、トッププレート５を通して視認可能なように設けられている。
【００３５】
又、図１及び図２に示すように、ガスコンロ前側面には、標準バーナ１ａ、小バーナ１ｂ及び高火力バーナ１ｃとグリルバーナ２との点火及び消火や火力調節と各種の設定とを指令する手動操作部Ｓが設けられ、マイクロコンピュータを備えて各種の制御を実行するように構成された燃焼制御部Ｈ（制御手段の一例）が、その手動操作部Ｓにて指令された運転状態に基づいて、標準バーナ１ａ、小バーナ１ｂ及び高火力バーナ１ｃとグリルバーナ２を制御するように構成されている。又、ガスコンロ前側面には自動復帰型の押し操作式の電源スイッチ４０も設けられている。
【００３６】
図２に示すように、標準バーナ１ａ、小バーナ１ｂ及び高火力バーナ１ｃの夫々には、点火プラグ７及び着火状態を検出する熱電対８が設けられており、グリルバーナ２は上面バーナ２ａと左右一対の下面バーナ２ｂ，２ｃとを備えた両面バーナにて構成されて、上面バーナ２ａ及び左右一対の下面バーナ２ｂ，２ｃの夫々にも点火プラグ７及び着火状態を検出するための熱電対８等が備えられている。
【００３７】
又、標準バーナ１ａ及び高火力バーナ１ｃの夫々には、図２及び図３に示すように（但し、図３では標準バーナ１ａについて示す）、五徳６に被加熱物が載置されている被加熱物載置状態と五徳６に被加熱物が載置されていない被加熱物非載置状態とを検出する載置状態検出手段としての載置状態検出部Ｄと、五徳６に載置された被加熱物の底部に当接可能な温度検知部としての温度センサ１１を備えた温度検出手段としての温度検出部Ｔが設けられている。
この載置状態検出部Ｄは、五徳６に載置される被加熱物の底部が当接するのに伴って押し下げられて前記被加熱物載置状態を検出するための載置状態検出位置とその載置状態検出位置よりも上方であって前記被加熱物非載置状態を検出するための非載置状態検出位置とにわたって上下動自在で、且つ、前記非載置状態検出位置に復帰付勢される上下可動部９ｂを備えた伸縮機構９と、その上下可動部９ｂが前記載置状態検出位置に位置する状態を検出することにより前記被加熱物載置状態を検出し、且つ、上下可動部９ｂが前記非載置状態検出位置に位置する状態を検出することにより前記被加熱物非載置状態を検出する検出部としての被加熱物検出スイッチ１０を備えて構成されている。
【００３８】
前記伸縮機構９について、説明を加えると、この伸縮機構９は、図３に示すように、ケーシングに対して固定された案内支持部９ａに上下可動部９ｂをバネ（図示省略）にて上方に復帰付勢した状態で上下方向に移動自在に支持して構成されている。
【００３９】
そして、五徳６上に被加熱物が載置されていないときは、上下可動部９ｂが、復帰付勢力により、上端が五徳６における被加熱物を受け止める上端部よりも突出する状態の前記非載置状態検出位置に復帰する伸状態となり、五徳６上に被加熱物が載置されるに伴って、上下可動部９ｂが被加熱物の底部により押し下げられて前記載置状態検出位置に位置する縮状態となる。
【００４０】
前記被加熱物検出スイッチ１０は、伸縮機構９の上下可動部９ｂが五徳６上に載置された被加熱物により押し下げられて前記載置状態検出位置に位置するとオンし、五徳６上に載置された被加熱物が上げられて上下可動部９ｂが上方に復帰して前記非載置状態検出位置に位置するとオフになるように設けられている。
つまり、被加熱物検出スイッチ１０がＯＮ（オン）状態で、上下可動部９ｂが前記載置状態検出位置に位置する状態が検出されて前記被加熱物載置状態が検出され、被加熱物検出スイッチ１０がＯＦＦ（オフ）状態で、上下可動部９ｂが前記非載置状態検出位置に位置する状態が検出されて前記被加熱物非載置状態が検出される構成となっている。
【００４１】
前記温度センサ１１は、前記上下可動部９ｂの上端部に設けられて、前記温度検出部Ｔが、前記伸縮機構９と前記温度センサ１１とを備えて構成されている。
【００４２】
更に、図２に示すように、前記小バーナ１ｂにも、標準バーナ１ａ高火力バーナ１ｃ夫々と同様に、前記伸縮機構９が設けられている。
そして、その小バーナ１ｂの伸縮機構９の上下可動部９ｂの上端部にも、温度センサ１１が設けられていて、小バーナ１ｂにも、標準バーナ１ａ及び高火力バーナ１ｃと同様に、温度検出部Ｔが設けられている。
【００４３】
前記標準バーナ１ａ、小バーナ１ｂ及び高火力バーナ１ｃとグリルバーナ２とへのガス供給構成について説明すると、図２に示すように、元ガス供給路１２には元ガス電磁弁１３が設けられ、この元ガス供給路１２から、標準バーナ用分岐路１４ａ、小バーナ用分岐路１４ｂ、高火力バーナ用分岐路１４ｃ、グリルバーナ用分岐路１４ｄの４系統に分岐しており、グリルバーナ２へのグリルバーナ用分岐路１４ｄは、さらに、上面バーナ用の分岐路と下面バーナ用分岐路とに分岐してそれらの分岐路には夫々、オリフィスｏｆ付きの流路１５と開閉式電磁弁１６を備えたバイパス路１７が設けられている。そして、標準バーナ用分岐路１４ａ、小バーナ用分岐路１４ｂ、高火力バーナ用分岐路１４ｃ、及び、グリルバーナ用分岐路１４ｄの夫々には、ステッピングモータ１９（図４参照）の駆動によってガス量を調整して前記各バーナの燃焼量（火力に相当する）を調整する流量制御弁１８が備えられている。
【００４４】
この流量制御弁１８は、図４に示すように、駆動源としてのステッピングモータ１９と、このステッピングモータ１９の回転操作をスライド移動操作に変更させるネジ送り式の移動操作機構２０と、ガス通過用の挿通孔２１が形成されたスライド閉子２２と、複数のガス通過用の調整孔２３を形成した流量調整板２４等を備えて構成されている。そして、前記スライド閉子２２と流量調整板２４とによってガス量を変更可能な流量調整部２５が構成されている。つまり、図４に示すようにガス流路を遮蔽する状態でスライド閉子２２と流量調整板２４とがバネ２６によって圧接される状態で相対的にスライド自在に設けられ、ステッピングモータ１９を駆動することでスライド閉子２２をスライド移動させながら、図５に示すように、スライド閉子２２に形成された挿通孔２１が流量調整板２４の調整孔２３と重なり合う面積合計を変更させることで、バーナへのガス供給量を変更調整自在な構成となっている。尚、前記スライド閉子２２のスライド移動量はスライド移動検出センサ２７によって検出される構成となっている。
【００４５】
次に、前記手動操作部Ｓの構成について説明する。図１、図６及び図７に示すように、ガスコンロ前側面には、手動操作部Ｓとして、標準バーナ１ａ、小バーナ１ｂ及び高火力バーナ１ｃの夫々に対応して、バーナ１ａ，１ｂ，１ｃの点火指令を指令する点火指令状態とバーナ１ａ，１ｂ，１ｃの消火指令を指令する消火指令状態とに切り換え自在な点消火指令手段としての人為操作式の点消火指令部２８、バーナ１ａ，１ｂ，１ｃの火力の調節を指令する人為操作式の火力調節操作部２９、及び、調理の設定を指令する設定入力パネル５０が設けられ、並びに、グリルバーナ２に対して、点火及び消火や火力調整を指令するための設定入力パネル６０が設けられている。これら３つの点消火指令部２８及び３つの火力調節操作部２９は同じ構成であるから、そのうちの標準バーナ１ａに対する点消火指令部２８及び火力調節操作部２９を代表として構成を以下に説明し、他のものについては説明を省略する。又、設定入力パネル５０及び設定入力パネル６０は開閉式になっている。
【００４６】
図６及び図７に示すように、点火指令及び消火指令を指令する押し操作式の点消火スイッチ３２がガスコンロの前面パネル３８の内部に設けられ、前面パネル３８に形成した挿通孔３９を通して裏面側から挿通する状態で円筒状の回転操作部３１が設けられている。そして、この回転操作部３１は、その回転軸心方向の移動により、前記点消火スイッチ３２を消火指令を指令する消火指令状態に操作する消火指令用に押し込み位置と、その押し込み位置よりも突出して点消火スイッチ３２を点火指令を指令する点火指令状態に操作する点火指令用の突出位置とに切り換え自在に構成され、且つ、前記突出位置にて前記火力を調整すべく回転操作自在に構成されている。
【００４７】
説明を加えると、回転操作部３１は、押し操作される毎に回転軸心方向に移動して、図示しない位置保持機構によって、前面パネル３８とほぼ面一になる押し込み位置と前方に突出する突出位置とに切り換え自在に構成され、回転操作部３１が前記突出位置に切り換えられているときに、正転方向及び逆転方向の夫々にその軸心周りで回動操作可能となる ように構成されている。そして、この回転操作部３１が押し込み位置に切り換えられるとそれに伴って点消火スイッチ３２がＯＦＦ（オフ）状態となり、回転操作部３１が突出位置に切り替えられるとそれに伴って点消火スイッチ３２がＯＮ（オン）状態となるように連動して切り換わる構成となっている。図２に示すように、この点消火スイッチ３２の切り換え信号は燃焼制御部Ｈに入力されており、燃焼制御部Ｈはこの点消火スイッチ３２がＯＮ状態に切り換わると標準バーナ１ａに対する点火作動を開始し、ＯＦＦ状態に切り換わると標準バーナ１ａの燃焼作動を停止するように構成されている。
つまり、前記回転操作部３１及び点消火スイッチ３２により、点消火指令部２８が構成されている。
【００４８】
又、前記前面パネル３８の内部には、回転操作部３１の回転操作に伴ってパルス信号を出力するパルス発生手段としてのロータリーエンコーダ３３が設けられている。つまり、このロータリーエンコーダ３３の操作軸３４に前記回転操作部３１が一体回動自在に且つ軸心方向での相対移動を許容する状態で接続されている。このロータリーエンコーダ３３は、回転操作部３１の一方向への回転操作に伴って２つのパルス信号のうちの一方のパルス信号が他方のパルス信号より位相が進み、回転操作部３１の他方向への回転操作に伴って前記他方のパルス信号が前記一方のパルス信号より位相が進む状態で、回転操作部３１の回転操作に伴って互いに異なる位相の２つのパルス信号を出力するように構成されている。つまり、このロータリーエンコーダ３３は、２つの出力端子を備えており、その２つの出力端子から上述したような位相の異なるパルス信号が出力される構成である。このようなロータリーエンコーダ３３は周知のものであるから詳細な構成についての説明は省略する。
【００４９】
図８に示すように、前記前面パネル３８の外面側において前記各回転操作部３１の周囲には火力を表示する複数のＬＥＤランプ３５を並べる状態で火力を表示する前面火力表示部３６が設けられている。この前面火力表示部３６は複数のＬＥＤランプ３５をレベルメータとして用いて、回転操作部３１にて設定された火力の大きさを火力の大きさに応じた数のＬＥＤランプ３５を点灯させて表示する構成となっている。この実施形態では、火力の大きさが最小火力から最大火力まで、標準バーナ１ａ及び高火力バーナ１ｃでは５段階に変更調整でき、小バーナ１ｃでは３段階に変更調整できる構成となっているので、標準バーナ１ａ及び高火力バーナ１ｃの夫々に対応する前面火力表示部３６は、５個のＬＥＤランプ３５にて構成され、小バーナ１ｃに対応する前面火力表示部３６は、３個のＬＥＤランプ３５にて構成されている。
【００５０】
図１及び図９に示すように、前記天面表示部７０は、標準バーナ１ａ、小バーナ１ｂ及び高火力バーナ１ｃ夫々に対応する３個の天面火力表示部７１と、グリルバーナ２に対応するグリル燃焼表示部７３とから構成されている。
前記天面火力表示部７１は、前面火力表示部３６と同構成であり、複数のＬＥＤランプ７２をレベルメータとして用いて回転操作部３１にて設定された火力の大きさを火力の大きさに応じた数のＬＥＤランプ７２を点灯させて表示する構成となっている。又、前記グリル燃焼表示部７３は、１個のＬＥＤランプ７４から構成され、グリルバーナ２を点火させるとその燃焼状態をＬＥＤランプ７４を点灯させて表示する構成となっている。
【００５１】
そして、燃焼制御部Ｈは、図２に示すように、標準バーナ１ａ、小バーナ１ｂ及び高火力バーナ１ｃ夫々に対応するロータリーエンコーダ３３にて発生するパルス信号に基づいて、標準バーナ１ａ、小バーナ１ｂ及び高火力バーナ１ｃ夫々に対する燃料供給量を調整するように標準バーナ１ａ、小バーナ１ｂ及び高火力バーナ１ｃ夫々に対する流量制御弁１８の作動を制御するよう構成されている。つまり、燃焼制御部Ｈは、ロータリーエンコーダ３３から出力される前記パルス信号に基づいて、回転操作部３１の回転操作方向並びに回転操作量を判別するとともに、その判別した回転操作方向並びに回転操作量に対応させて標準バーナ１ａ等の火力を調整することになるが、そのとき、ロータリーエンコーダ３３から出力される２つのパルス信号のデータを予め定めた設定単位時間毎に繰り返し読み込み、その読み込まれた前記２つのパルス信号のデータにおけるデータパターンに基づいて、回転操作部３１の回転操作方向並びに回転操作量を判別するように構成されている。
【００５２】
つまり、前記回転操作部３１及びロータリーエンコーダ３３により、前記火力調節操作部２９が構成されている。
【００５３】
又、図２に示すように、燃焼制御部Ｈは、標準バーナ１ａ、小バーナ１ｂ及び高火力バーナ１ｃ夫々に対応するロータリーエンコーダ３３にて発生するパルス信号に基づいて、標準バーナ１ａ、小バーナ１ｂ及び高火力バーナ１ｃ夫々の火力を標準バーナ１ａ、小バーナ１ｂ及び高火力バーナ１ｃ夫々に対応する前面火力表示部３６及び天面火力表示部７１にて表示するように構成されている。
つまり、燃焼制御部Ｈは、前面火力表示部３６及び天面火力表示部７１を同様に制御するように構成され、例えば、標準バーナ１ａに対応するロータリーエンコーダ３３にて発生するパルス信号が火力３に対応する場合は、前面火力表示部３６を構成するＬＥＤランプ３５を３個点灯させ、且つ、天面表示部７１を構成するＬＥＤランプ７２を３個点灯させる。
【００５４】
又、図２に示すように、このガスコンロには各種情報を音声にて報知するスピーカ３７が備えられており、燃焼制御部Ｈは、各種情報をこのスピーカ３７により報知させるように構成されている。
【００５５】
次に、前記燃焼制御部Ｈの制御構成について説明を加える。
尚、本発明に係る制御は、前記標準バーナ１ａ及び前記高火力バーナ１ｃを対象にして実行するので、前記小バーナ１ｂ及び前記グリルバーナ２を対象にした燃焼制御部Ｈの制御動作の説明は省略する。
又、標準バーナ１ａ及び高火力バーナ１ｃ夫々を対象にした燃焼制御部Ｈの制御動作は同様であるので、以下では、標準バーナ１ａを対象にした制御動作について説明して、高火力バーナ１ｃを対象にした制御動作の説明は省略する。
又、前記元ガス電磁弁１３は、標準バーナ１ａ、小バーナ１ｂ、高火力バーナ１ｃ及びグリルバーナ２のうちの少なくとも一つに対応する点消火スイッチ３２がＯＮ状態のときは開弁し、標準バーナ１ａ、小バーナ１ｂ、高火力バーナ１ｃ及びグリルバーナ２夫々に対応する点消火スイッチ３２の全てがＯＦＦ状態のときは、閉弁状態に維持するものであり、以下の説明では、この元ガス電磁弁１３の制御については説明を省略する。
【００５６】
標準バーナ１ａの燃焼中における温度検出部Ｄの検出温度の変化状況に基づいて、五徳６に被加熱物が載置されている載置予測状態と五徳６に被加熱物が載置されていない非載置予測状態とを推定する推定手段としての推定部Ｅが設けられている。この実施形態では、推定部Ｅは前記燃焼制御部Ｈを用いて構成されている。
【００５７】
前記推定部Ｅは、温度検出部Ｔの検出温度の変化状況が、非載置予測用温度上昇条件を満たす状態で前記検出温度が上昇する変化状況のときは、前記非載置予測状態を推定し、且つ、温度検出部Ｔの検出温度の変化状況が、前記非載置予測用温度上昇条件よりも緩やかな載置予測用温度上昇条件を満たす状態で前記検出温度が上昇する変化状況のとき、又は、前記検出温度が下降する状態から載置予測用設定時間に載置予測用設定温度以上上昇する状態に転じた変化状況のときは、前記載置予測状態を推定するように構成されている。
【００５８】
ちなみに、この実施形態では、前記非載置予測用温度上昇条件は、１秒間に３°Ｃ以上の温度上昇が２秒間継続する条件、又は、１秒間に６°Ｃ以上温度が上昇する条件に設定されている。
又、前記載置予測用温度上昇条件は、１秒間に３°Ｃ未満の温度上昇が１０秒継続する条件に設定されている。
又、前記検出温度が下降する状態としては、１秒前から１°Ｃ以上温度が低下する温度下降条件に設定され、前記載置予測用設定時間は１秒間に、前記載置予測用設定温度は１°Ｃに夫々設定されている。
【００５９】
そして、前記燃焼制御部Ｈは、載置状態検出部Ｄが被加熱物載置状態を検出し、且つ、前記推定部Ｅが非載置予測状態を推定する検出異常状態が発生するに伴って異常対策処理を実行するように構成されている。
更に、燃焼制御部Ｈは、前記検出異常状態が異常判別用設定時間Ｔｓ１継続するときに、前記異常対策処理を実行するように構成されている。
ちなみに、前記異常判別用設定時間Ｔｓ１としては、例えば、３０秒に設定されている。
【００６０】
又、この実施形態では、燃焼制御部Ｈは、前記異常対策処理として、標準バーナ１ａの火力を低下させることを実行するように構成されている。
【００６１】
又、燃焼制御部Ｈは、載置状態検出部Ｄが被加熱物非載置状態を検出すると、標準バーナ１ａの火力を低下させる燃焼抑制処理を実行し、且つ、載置状態検出部Ｄが被加熱物載置状態を検出し且つ推定部Ｅが載置予測状態を推定するときには、前記燃焼抑制処理を解除する燃焼抑制解除処理を実行するように構成されている。
そして、この実施形態では、燃焼制御部Ｈは、前記燃焼抑制処理として、標準バーナ１ａの火力を低下させることを実行し、且つ、前記燃焼抑制解除処理として、標準バーナ１ａの火力を低下前の火力に戻すことを実行するように構成されている。
【００６２】
尚、上述したように、前記載置状態検出部Ｄを構成する被加熱物検出スイッチ１０のＯＮ状態が被加熱物載置状態を検出する状態に対応し、ＯＦＦ状態が被加熱物非載置状態を検出する状態に対応するので、先述の「載置状態検出部Ｄが被加熱物載置状態を検出する」ことは、被加熱物検出スイッチ１０がＯＮ状態であることに相当し、「載置状態検出部Ｄが被加熱物非載置状態を検出する」ことは、被加熱物検出スイッチ１０がＯＦＦ状態であることに相当する。
【００６３】
以下、図１０ないし図１２に示すフローチャートに基づいて、前記燃焼制御部Ｈの制御動作を説明する。
先ず、図１０に基づいて説明する。
電源スイッチ４０がオンされて、電源（図示省略）から電力が供給されると、燃焼制御部Ｈは、点消火スイッチ３２がＯＮ状態か否かを判別し、点消火スイッチ３２がＯＮ状態のときは、被加熱物検出スイッチ１０がＯＮ状態か否かを判別する（ステップ＃１〜３）。
ステップ＃３で被加熱物検出スイッチ１０がＯＮ状態のときは、流量制御弁１８を開弁させ、点火プラグ７に駆動信号を与えて点火作動させることにより、標準バーナ１ａを点火させる点火処理を行い、ロータリーエンコーダ３３から出力される前記パルス信号に応じた段階の火力になるように流量制御弁１８の開度を調節することにより、火力調節処理を行う（ステップ＃４，５）。
【００６４】
一方、ステップ＃３で被加熱物検出スイッチ１０がＯＦＦ状態のときは、標準バーナ１ａに対応する前面火力表示部３６及び天面火力表示部７１を同様に点滅させ、点消火スイッチ３２がＯＮ状態であることによる点火指令を無効にして（ステップ＃２１，２２）、点消火スイッチ３２がＯＮ状態からＯＦＦ状態に切り換えられてリセットされるのを待ち、リセットされると、ステップ＃１に戻って、点消火スイッチ３２がＯＦＦ状態からＯＮ状態に切り換えられるのを待つ。
【００６５】
燃焼制御部Ｈは、ステップ＃５にて火力調節処理を実行した後は、点消火スイッチ３２のＯＮ状態が継続している間は、詳細は後述するが、ステップ＃７にて、温度検出部Ｄの検出温度の変化状況に基づいて載置予測状態か非載置予測状態かを推定する推定処理を実行し、ステップ＃８にて、被加熱物検出スイッチ１０がＯＮ状態であること及び前記推定処理の結果が載置予測状態であることの両方を満足する被加熱物存在状態か、被加熱物検出スイッチ１０がＯＮ状態であること及び前記推定処理の結果が非載置予測状態であることの両方を満足する（即ち、載置状態検出部Ｄが被加熱物載置状態を検出し且つ推定部Ｅが非載置予測状態を推定する）検出異常状態か、被加熱物存在状態及び検出異常状態のいずれでもない被加熱物非存在状態かを判別する（ステップ＃８，１２）。
【００６６】
尚、前記被加熱物存在状態及び前記検出異常状態のいずれでもない前記被加熱物非存在状態は、載置状態検出部Ｄが被加熱物非載置状態を検出する状態、即ち、被加熱物検出スイッチ１０がＯＦＦ状態であることに相当する。
【００６７】
次に、図１１に基づいて、前記推定処理について説明を加える。
標準バーナ１ａの点火後、最初に実行する推定処理では、載置予測状態か非載置予測状態かを推定可能になるように時間が経過しておらず、載置予測状態及び非載置予測状態のいずれも推定することができないので、デフォルト（Ｄｅｆａｕｌｔ）として載置予測状態を設定する（ステップ＃７１，７６）。
そして、燃焼制御部Ｈは、デフォルトとして載置予測状態を設定した以降は、ステップ＃７２にて、前回の推定処理結果が載置予測状態か否かを判別し、前回の推定処理結果が載置予測状態のときは、温度検出部Ｔの検出温度の変化状況が、前記非載置予測用温度上昇条件を満たす状態で前記検出温度が上昇する変化状況か否か（即ち、１秒間に３°Ｃ以上の温度上昇が２秒間継続するか、又は、１秒間に６°Ｃ以上温度が上昇するか否か）を判別し、その変化状況であると判別したときは非載置予測状態を推定し、その変化状況ではないと判別したときは載置予測状態であると推定する（ステップ＃７３，７４，７６）。
【００６８】
又、燃焼制御部Ｈは、ステップ＃７２にて、前回の推定処理結果が載置予測状態でないと判別したとき、即ち、前回の推定処理結果が非載置予測状態のときは、温度検出部Ｔの検出温度の変化状況が、前記載置予測用温度上昇条件を満たす状態で前記検出温度が上昇する変化状況か、又は、前記検出温度が下降する状態から載置予測用設定時間に載置予測用設定温度以上上昇する状態に転じた変化状況か否かを判別し、前記載置予測用温度上昇条件を満たす状態で前記検出温度が上昇する変化状況、及び、前記検出温度が下降する状態から載置予測用設定時間に載置予測用設定温度以上上昇する状態に転じた変化状況のいずれかであると判別したときは、載置予測状態を推定し、いずれでもないと判別したときは、非載置予測状態を推定する（ステップ＃７５，７６，７４）。
【００６９】
図１０に戻って説明すると、燃焼制御部Ｈは、ステップ＃８にて、前記被加熱物存在状態であると判別したときは、ステップ＃９以降の処理を実行し、ステップ＃８，１２にて、前記検出異常状態であると判別したときは、ステップ＃１３以降の処理を実行し、ステップ＃８，１２にて、前記被加熱物非存在状態であると判別したときは、被加熱物移動時処理を実行する（ステップ＃３０）。
【００７０】
以下、前記被加熱物存在状態を判別したとき、前記検出異常状態を判別したとき、前記被加熱物非存在状態を判別したとき夫々の処理について説明する。
燃焼制御部Ｈは、ステップ＃８にて、前記被加熱物存在状態を判別すると、後述する移動時火力低下処理の実行中でないときは、点消火スイッチ３２のＯＮ状態が継続し、且つ、前記被加熱物存在状態を判別する状態が継続する間は、即ち、前記検出異常状態及び前記被加熱物非存在状態のいずれも判別しない間は、火力調節操作部２９により手動火力変更指令が指令されると、標準バーナ１ａの火力を指令された火力に変更調節するように流量制御弁１８の開度を調節することにより、火力変更処理を実行しながら、標準バーナ１ａの燃焼を継続させる（ステップ＃６〜１１）。
【００７１】
そして、燃焼制御部Ｈは、上述のようにステップ＃６〜１１の処理の実行により標準バーナ１ａの燃焼を継続させている状態において、被加熱物検出スイッチ１０がＯＮ状態になり且つ推定処理結果が前記非載置予測状態であることにより前記検出異常状態を判別すると（ステップ＃８，１２）、ステップ＃１３以降の処理に移り、被加熱物検出スイッチ１０がＯＦＦ状態になることにより前記被加熱物非存在状態を判別すると（ステップ＃８，１２）、被加熱物移動時処理を実行する。
又、燃焼制御部Ｈは、上述のようにステップ＃６〜１１の処理の実行により標準バーナ１ａの燃焼を継続させている状態において、点消火スイッチ３２がＯＮ状態からＯＦＦ状態に切り換えられると（ステップ＃６）、流量制御弁１８を閉弁することにより消火処理を行って（ステップ＃２０）、ステップ＃１に戻る。
尚、ステップ＃９にて移動時火力低下処理の実行中であると判別したときの処理は、後述する。
【００７２】
燃焼制御部Ｈは、ステップ＃８，１２にて、前記検出異常状態であると判別すると、後述する移動時火力低下処理の実行中でないときは、前記検出異常状態になった時点からの経過時間Ｔ１が前記異常判別用設定時間Ｔｓ１に達するまでは、前記検出異常状態（即ち、前記被加熱物存在状態及び前記被加熱物非存在状態のいずれも判別しない状態）が継続し且つ点消火スイッチ３２のＯＮ状態が継続している間は、ステップ＃６〜８，１２，１３，９〜１１）の処理を実行して、標準バーナ１ａの燃焼を継続させる。尚、ステップ＃９にて移動時火力低下処理の実行中であると判別したときの処理は、後述する。
【００７３】
そして、燃焼制御部Ｈは、ステップ＃６〜８，１２，１３，９〜１１の処理の実行により標準バーナ１ａを燃焼させている間に、前記検出異常状態になった時点からの経過時間Ｔ１が前記異常判別用設定時間Ｔｓ１に達するまでに、被加熱物検出スイッチ１０がＯＮ状態になり且つ推定処理結果が前記載置予測状態であることにより、被加熱物存在状態を判別すると（ステップ＃８）、ステップ＃９以降の処理に移り、被加熱物検出スイッチ１０がＯＦＦ状態になることにより前記被加熱物非存在状態を判別すると（ステップ＃８，１２）、前記被加熱物移動時処理を実行し、点消火スイッチ３２がＯＮ状態からＯＦＦ状態に切り換えられると（ステップ＃６）、消火処理を行って（ステップ＃２０）、ステップ＃１に戻る。
【００７４】
又、燃焼制御部Ｈは、ステップ＃６〜８，１２，１３，９〜１１の処理の実行により標準バーナ１ａを燃焼させている間に、前記検出異常状態になった時点からの経過時間Ｔ１が前記異常判別用設定時間Ｔｓ１に達しても、前記検出異常状態が継続しているときは、標準バーナ１ａの火力を前記５段階の火力のうちの最下段の火力１よりも１段上の火力２の鍋上げ時火力に低下させるように流量制御弁１８の開度を調節することにより、異常時火力低下処理を実行し、スピーカ３７に、「故障が発生しました」等の異常情報を報知させ、並びに、標準バーナ１ａに対応する前面火力表示部３６及び天面火力表示部７１を同様に点滅させる警報処理を実行して（ステップ＃１４，１５）、ステップ＃６に戻る。
【００７５】
つまり、上述したように、燃焼制御部Ｈは、前記検出異常状態が前記異常判別用設定時間Ｔｓ１継続するときに、前記異常対策処理を実行するように構成されている。
そして、燃焼制御部Ｈは、前記異常対策処理として、標準バーナ１ａの火力を低下させることを実行するように構成されている。
【００７６】
燃焼制御部Ｈは、ステップ＃８，１２にて、前記被加熱物非存在状態であると判別すると、図１２に示すように被加熱物移動時処理を実行する。
即ち、燃焼制御部Ｈは、ステップ＃８，１２にて、前記被加熱物非存在状態であると判別すると、直ちに、ステップ＃３１にて、標準バーナ１ａの火力を前記５段階の火力のうちの最下段の火力１よりも１段上の火力２の移動時火力に低下させるように流量制御弁１８の開度を調節することにより、移動時火力低下処理を実行し、前記被加熱物非存在状態になった時点からの経過時間Ｔ２が移動時消火判別用設定時間Ｔｓ２に達するまでは、前記被加熱物非存在状態（即ち、前記被加熱物存在状態及び前記検出異常状態のいずれも判別しない状態）が継続し且つ点消火スイッチ３２のＯＮ状態が継続している間は、火力調節操作部２９により手動火力変更指令が指令されてもその火力変更指令を無効にして火力変更処理を実行しない状態で、標準バーナ１ａの燃焼を継続する（ステップ＃３１〜３４，６〜８，１２）。
【００７７】
そして、燃焼制御部Ｈは、ステップ＃３１〜３４，６〜８，１２の処理の実行により標準バーナ１ａを燃焼させている間に、前記被加熱物非存在状態になった時点からの経過時間Ｔ２が移動時消火判別用設定時間Ｔｓ２に達するまでに、被加熱物検出スイッチ１０がＯＮ状態になり且つ推定処理結果が前記載置予測状態であることにより被加熱物存在状態を判別すると（ステップ＃８）、ステップ＃９で移動時火力低下処理実行中と判別するので、後述するように、火力復帰処理を含むステップ＃１６〜１９の処理を実行し、被加熱物検出スイッチ１０がＯＮ状態になり且つ推定処理結果が前記非載置予測状態であることにより検出異常状態を判別すると（ステップ＃８，１２）、ステップ＃１３にて、その検出異常状態になった時点からの経過時間Ｔ１が前記異常判別用設定時間Ｔｓ１に達していないと判別して、ステップ＃９で移動時火力低下処理実行中と判別するので、後述するように、火力復帰処理を含むステップ＃１６〜１９の処理を実行する。
【００７８】
又、燃焼制御部Ｈは、ステップ＃３１〜３４，６〜８，１２の処理の実行により標準バーナ１ａを燃焼させている間に、前記被加熱物非存在状態になった時点からの経過時間Ｔ２が移動時消火判別用設定時間Ｔｓ２に達するまでに、点消火スイッチ３２がＯＮ状態からＯＦＦ状態に切り換えられると（ステップ＃６）、消火処理を行って（ステップ＃２０）、ステップ＃１に戻る。
【００７９】
又、燃焼制御部Ｈは、ステップ＃３１〜３４，６〜８，１２の処理の実行により標準バーナ１ａを燃焼させている状態で、前記被加熱物非存在状態になった時点からの経過時間Ｔ２が移動時消火判別用設定時間Ｔｓ２に達しても、前記被加熱物非存在状態（即ち、被加熱物検出スイッチ１０のＯＦＦ状態）が継続しているときは（ステップ＃３４）、消火処理を実行し、スピーカ３７により、例えば、「安全装置が働きました」の如き警報を報知させることにより警報処理を実行し、点消火スイッチ３２がＯＮ状態であることによる点火指令を無効にして（ステップ＃３５〜３７）、メインのフローチャートのステップ＃１に戻る。
ちなみに、前記移動時消火判別用設定時間Ｔｓ２は、例えば６０秒に設定する。
【００８０】
燃焼制御部Ｈは、前記被加熱物移動時制御において前記移動時火力低下処理を実行して、その移動時火力低下処理の実行中のときに、被加熱物検出スイッチ１０がＯＮ状態になり且つ推定処理結果が前記載置予測状態であることにより被加熱物存在状態を判別すると（ステップ＃８）、ステップ＃９で移動時火力低下処理実行中と判別するので、標準バーナ１ａの火力を前記移動時火力低下処理前の火力に戻すように流量制御弁１８の開度を調節することにより、火力復帰処理を実行し、火力調節操作部２９により手動火力変更指令が指令されると、標準バーナ１ａの火力を指令された火力に変更調節するように流量制御弁１８の開度を調節することにより、火力変更処理を実行して、標準バーナ１ａの火力を前記移動時火力低下処理前の火力に維持する処理前火力維持状態を解除して（ステップ＃１６〜１９）、ステップ＃６に戻り、以降は、ステップ＃６〜１１の処理の実行により標準バーナ１ａの燃焼を継続させる。
【００８１】
つまり、上述したように、燃焼制御部Ｈは、載置状態検出部Ｄが被加熱物非載置状態を検出すると、標準バーナ１ａの火力を低下させる燃焼抑制処理を実行し、且つ、載置状態検出部Ｄが被加熱物載置状態を検出し且つ推定部Ｅが載置予測状態を推定するときには、前記燃焼抑制処理を解除する燃焼抑制解除処理を実行するように構成されている。
そして、燃焼制御部Ｈは、前記燃焼抑制処理として、標準バーナ１ａの火力を低下させることを実行し、且つ、前記燃焼抑制解除処理として、標準バーナ１ａの火力を低下前の火力に戻すことを実行するように構成されている。
【００８２】
又、燃焼制御部Ｈは、前記被加熱物移動時制御において前記移動時火力低下処理を実行して、その移動時火力低下処理の実行中のときに、被加熱物検出スイッチ１０がＯＮ状態になり且つ推定処理結果が前記非載置予測状態であることにより検出異常状態を判別すると（ステップ＃８，１２）、ステップ＃１３にて検出異常状態が前記異常判別用設定時間Ｔｓ１継続していないと判別して、ステップ＃９で移動時火力低下処理実行中と判別するので、上述のように前記火力復帰処理を実行し、火力調節操作部２９により手動火力変更指令が指令されると、標準バーナ１ａの火力を指令された火力に変更調節するように流量制御弁１８の開度を調節することにより、火力変更処理を実行して、標準バーナ１ａの火力を前記移動時火力低下処理前の火力に維持する処理前火力維持状態を解除して（ステップ＃１６〜１９）、ステップ＃６に戻り、以降は、ステップ＃６〜８，１２，１３，９〜１１の処理を実行して、標準バーナ１ａの燃焼を継続させる。
【００８３】
そして、燃焼制御部Ｈは、上述のようにステップ＃６〜８，１２，１３，９〜１１の処理に実行により標準バーナ１ａを燃焼させている状態で、前記検出異常状態になった時点からの経過時間Ｔ１が前記異常判別用設定時間Ｔｓ１に達しても、前記検出異常状態が継続しているときは、前記異常時火力低下処理を実行し、前記警報処理を実行して（ステップ＃１４，１５）、ステップ＃６に戻る。
【００８４】
つまり、上述したように、燃焼制御部Ｈは、前記検出異常状態が前記異常判別用設定時間Ｔｓ１継続するときに、前記異常対策処理を実行するように構成されている。
そして、燃焼制御部Ｈは、前記異常対策処理として、標準バーナ１ａの火力を低下させることを実行するように構成されている。
【００８５】
〔別実施形態〕
次に別実施形態を説明する。
（イ）  前記燃焼制御部Ｈを構成するに、上記の実施形態においては、前記検出異常状態が前記異常判別用設定時間Ｔｓ１継続するときに、前記異常対策処理を実行するように構成したが、これに代えて、前記検出異常状態が発生すると、直ちに前記異常対策処理を実行するように構成しても良い。
【００８６】
（ロ）  上記の実施形態においては、前記燃焼制御部Ｈを、前記異常対策処理として、バーナ１ａ，１ｃの火力を低下させることを実行するように構成したが、前記異常対策処理として、バーナ１ａ，１ｃの燃焼を停止させることを実行するように構成しても良い。
この場合の燃焼制御部Ｈの制御動作を図１３のフローチャートに基づいて説明する。
即ち、燃焼制御部Ｈは、ステップ＃１２にて、検出異常状態であると判別すると、直ちに、バーナ１ａ，１ｃを消火させる異常時消火処理を実行し、スピーカ３７に、「故障が発生しました」等の異常情報を報知させ、並びに、バーナ１ａ１ｃに対応する前面火力表示部３６及び天面火力表示部７１を同様に点滅させる警報処理を実行し、点消火スイッチ３２がＯＮ状態であることによる点火指令を無効にして（ステップ＃２３〜２５）、点消火スイッチ３２がＯＮ状態からＯＦＦ状態に切り換えられてリセットされるのを待ち、リセットされると、ステップ＃１に戻って、点消火スイッチ３２がＯＦＦ状態からＯＮ状態に切り換えられるのを待つ。
尚、図１３に示すフローチャートにおいて、上述したステップ＃２３〜２５の処理以外の処理は、図１０ないし図１２にて示す上記の実施形態と同様であるので説明を省略する。
【００８７】
（ハ）  前記異常判別用設定時間Ｔｓ１の設定例は、上記の実施形態において例示した３０秒に限定されるものではなく、３０秒よりも短くても長くても良い。
又、前記非載置予測用温度上昇条件及び前記載置予測用温度上昇条件夫々の具体的な設定例は、上記の実施形態において例示した設定例に限定されるものではなく、対象とするコンロに適合するように設定することが可能である。
又、前記検出温度が下降する状態として設定する温度下降条件、前記載置予測用設定時間及び前記載置予測用設定温度夫々の具体的な設定例も、上記の実施形態において例示した設定例に限定されるものではなく、対象とするコンロに適合するように設定することが可能である。
【００８８】
（ニ）  前記載置状態検出部Ｄを、上記の実施形態の如き上下可動部９ｂと検出部とを備えて構成する場合、検出部は、被加熱物検出スイッチ１０に限定されるものではない。
例えば、前記上下可動部９ｂの両横側方に振り分けて配置した磁石とリードスイッチ、及び、前記上下可動部９ｂが押し下げられると前記磁石と前記リードスイッチとの間に位置し且つ前記上下可動部９ｂが上方に復帰すると前記磁石と前記リードスイッチとの間から退出するように前記上下可動部９ｂに取り付けた磁性体にて構成することが可能である。
【００８９】
又、前記載置状態検出部Ｄの具体構成は、上記の実施形態の如き上下可動部９ｂと検出部とを備えて構成する場合に限定されるものではない。例えば、載置部上の被加熱物の有無により投射光が反射されるか否かにより被加熱物載置状態か被加熱物非載置状態かを検出するように構成された反射型の光センサ、あるいは、載置部上の被加熱物の有無により投射光が遮蔽されるか否かにより被加熱物載置状態か被加熱物非載置状態かを検出するように構成されたフォトインタラプタ型の光センサにて構成することが可能である。
【００９０】
又、五徳６上に被加熱物が載置されることにより検出重量が変動するように配置したロードセンサにて構成することが可能である。
【図面の簡単な説明】
【００９１】
【図１】コンロの斜視図
【図２】コンロの制御構成を示すブロック図
【図３】コンロのバーナ付近の縦断面図
【図４】流量制御弁の構成を示す図
【図５】流量制御弁の要部を示す図
【図６】点消火指令部及び火力調節操作部の構成を示す図
【図７】点消火指令部及び火力調節操作部の操作状態を説明する図
【図８】前面火力表示部を示す図
【図９】天面表示部を示す図
【図１０】制御動作のフローチャートを示す図
【図１１】制御動作のフローチャートを示す図
【図１２】制御動作のフローチャートを示す図
【図１３】別実施形態にかかるコンロの制御動作のフローチャートを示す図
【符号の説明】
【００９２】
１ａ，１ｃ  バーナ
６          載置部
９ｂ        上下可動部
１０        検出部
１１        温度検知部
Ｄ          載置状態検出手段
Ｅ          推定手段
Ｈ          制御手段
Ｔ          温度検出手段
【図１】
2006125674.tif 000003
【図２】
2006125674.tif 000004
【図３】
2006125674.tif 000005
【図４】
2006125674.tif 000006
【図５】
2006125674.tif 000007
【図６】
2006125674.tif 000008
【図７】
2006125674.tif 000009
【図８】
2006125674.tif 000010
【図９】
2006125674.tif 000011
【図１０】
2006125674.tif 000012
【図１１】
2006125674.tif 000013
【図１２】
2006125674.tif 000014
【図１３】
2006125674.tif 000015